(57)【要約】【課題】切出し画像の視認性を低下させずに、切出し画像の外側に存在する枠外領域の情報を表示可能な、画像表示装置、画像表示方法およびプログラムを提供する。【解決手段】元画像Ｉｏの画像データと、元画像から切出される切出し画像Ｉｔの範囲を指定する切出し枠情報Ｉｆを取得するデータ取得部１１と、切出し枠情報に基づき、切出し画像のコーナー部ｃから、元画像の外枠のうち切出し画像のコーナー部に面した基準となる外枠に下ろした垂線ｐｌの長さを算出する垂線長算出部１５と、垂線の長さに相当する暗示線ｓｌを画像データとして作成する暗示線作成部１７と、切出し画像とともに、切出し画像のコーナー部から元画像の基準となる外枠とは反対側に延ばして暗示線を表示するデータ表示部１９とを備える。【選択図】図２
2012003189.tif 000002
【特許請求の範囲】
【請求項１】
元画像の画像データと、前記元画像から切出される切出し画像の範囲を指定する切出し枠情報を取得する取得部と、
前記切出し枠情報に基づき、前記切出し画像のコーナー部から、前記元画像の外枠のうち前記切出し画像の前記コーナー部に面した基準となる外枠に下ろした垂線の長さを算出する算出部と、
前記垂線の長さに相当する暗示線を画像データとして作成する作成部と、
前記切出し画像とともに、前記切出し画像のコーナー部から前記元画像の前記基準となる外枠とは反対側に延ばして前記暗示線を表示する表示部と
を備える画像表示装置。
【請求項２】
前記作成部は、前記切出し画像のコーナー部から前記元画像の前記基準となる外枠に下ろした前記垂線に沿う領域の画像情報を暗示画像として含む暗示線を作成する、請求項１に記載の画像表示装置。
【請求項３】
前記暗示画像は、前記垂線に沿う領域の画像データの代表値を表す、請求項２に記載の画像表示装置。
【請求項４】
前記暗示画像は、前記垂線の周辺に位置する所定の領域の画像データの代表値を表す、請求項２に記載の画像表示装置。
【請求項５】
前記暗示画像は、前記垂線に直交する直線に沿う領域の画像データの代表値を表す、請求項２に記載の画像表示装置。
【請求項６】
前記作成部は、前記切出し画像と区別して表示されるように、前記暗示画像を含む暗示線を作成する、請求項１〜５のいずれか１項に記載の画像表示装置。
【請求項７】
前記作成部は、前記垂線の長さが前記切出し画像のコーナー部から前記元画像の前記基準となる外枠とは反対側における前記切出し画像の長さよりも大きい場合、前記切出し画像の長さの範囲で折り返して表示されるように前記暗示線を作成する、請求項１〜６のいずれか１項に記載の画像表示装置。
【請求項８】
前記表示部は、前記切出し画像に重ねずに前記切出し画像の外縁側に前記暗示線を表示する、請求項１〜７のいずれか１項に記載の画像表示装置。
【請求項９】
前記表示部は、前記切出し画像に重ねて前記切出し画像の内縁側に前記暗示線を表示する、請求項１〜８のいずれか１項に記載の画像表示装置。
【請求項１０】
前記作成部は、前記切出し画像のコーナー部から前記元画像の外枠のうち前記切出し画像の前記コーナー部に面した基準となる２つの外枠に下ろした垂線の長さに相当する２つの暗示線を作成し、
前記表示部は、前記切出し画像のコーナー部から対応する外枠とは反対側に延ばして前記２つの暗示線を表示する、請求項１〜９のいずれか１項に記載の画像表示装置。
【請求項１１】
前記切出し画像のコーナー部は、前記切出し画像の対角線上に位置する一対のコーナー部である、請求項１０に記載の画像表示装置。
【請求項１２】
前記表示部は、複数の元画像について、前記元画像に対応する前記切出し画像および前記暗示線を並べて表示する、請求項１〜１１のいずれか１項に記載の画像表示装置。
【請求項１３】
元画像の画像データと、前記元画像から切出される切出し画像の範囲を指定する切出し枠情報を取得するステップと、
前記切出し枠情報に基づき、前記切出し画像のコーナー部から、前記元画像の外枠のうち前記切出し画像の前記コーナー部に面した基準となる外枠に下ろした垂線の長さを算出するステップと、
前記垂線の長さに相当する暗示線を画像データとして作成するステップと、
前記切出し画像とともに、前記切出し画像のコーナー部から前記元画像の前記基準となる外枠とは反対側に延ばして前記暗示線を表示するステップと
を含む画像表示方法。
【請求項１４】
前記暗示線を作成するステップは、前記切出し画像のコーナー部から前記元画像の前記基準となる外枠に下ろした垂線に沿う領域の画像情報を暗示画像として含む暗示線を作成する、請求項１３に記載の画像表示方法。
【請求項１５】
請求項１３または１４に記載の画像表示方法をコンピュータに実行させるためのプログラム。
【発明の詳細な説明】
【技術分野】
【０００１】
本発明は、画像表示装置、画像表示方法およびプログラムに関する。
【背景技術】
【０００２】
映像・画像表現において、被写体の切出し（バストショット、フルショット、ロングショット等）は、非常に重要なポイントとなる。通常、被写体の切出しは、画像撮影時に行われている。ところで、下記特許文献１に記載されるように、リアルタイムな高画質処理が実用化されると、元画像の画像データと、元画像から切出される切出し画像の範囲を指定する切出し枠情報に基づき、切出し画像をズーム画像として、十分な精度でリアルタイムに表示することが可能となる。
【先行技術文献】
【特許文献】
【０００３】
【特許文献１】特開２００８−３１１８０８号公報
【発明の概要】
【発明が解決しようとする課題】
【０００４】
この場合、切出し画像では、少なくとも表面上、切出し画像の外側に存在する枠外領域の情報が失われるので、元画像へのアクセスが困難となってしまう。元画像へのアクセス性を改善するために、元画像を示す枠線および切出し画像を示す枠線を用いて、切出し画像に重ねて、元画像の範囲を暗示して表示する場合がある。しかし、この場合、そもそも元画像の範囲が明瞭に暗示できなかったり、切出し画像の視認性が低下したりする場合がある。
【０００５】
そこで、本発明は、切出し画像の視認性を低下させずに、切出し画像の外側に存在する枠外領域の情報を表示可能な、画像表示装置、画像表示方法およびプログラムを提供しようとするものである。
【課題を解決するための手段】
【０００６】
本発明のある観点によれば、元画像の画像データと、元画像から切出される切出し画像の範囲を指定する切出し枠情報を取得する取得部と、切出し枠情報に基づき、切出し画像のコーナー部から、元画像の外枠のうち切出し画像のコーナー部に面した基準となる外枠に下ろした垂線の長さを算出する算出部と、垂線の長さに相当する暗示線を画像データとして作成する作成部と、切出し画像とともに、切出し画像のコーナー部から元画像の基準となる外枠とは反対側に延ばして暗示線を表示する表示部とを備える画像表示装置が提供される。
【０００７】
上記作成部は、切出し画像のコーナー部から元画像の基準となる外枠に下ろした垂線に沿う領域の画像情報を暗示画像として含む暗示線を作成してもよい。
【０００８】
上記暗示画像は、垂線に沿う領域の画像データの代表値を表してもよい。
【０００９】
上記暗示画像は、垂線の周辺に位置する所定の領域の画像データの代表値を表してもよい。
【００１０】
上記暗示画像は、垂線に直交する直線に沿う領域の画像データの代表値を表してもよい。
【００１１】
上記作成部は、切出し画像と区別して表示されるように、暗示画像を含む暗示線を作成してもよい。
【００１２】
上記作成部は、垂線の長さが切出し画像のコーナー部から元画像の基準となる外枠とは反対側における切出し画像の長さよりも大きい場合、切出し画像の長さの範囲で折り返して表示されるように暗示線を作成してもよい。
【００１３】
上記表示部は、切出し画像に重ねずに切出し画像の外縁側に暗示線を表示してもよい。
【００１４】
上記表示部は、切出し画像に重ねて切出し画像の内縁側に暗示線を表示してもよい。
【００１５】
上記作成部は、切出し画像のコーナー部から元画像の外枠のうち切出し画像のコーナー部に面した基準となる２つの外枠に下ろした垂線の長さに相当する２つの暗示線を作成し、上記表示部は、切出し画像のコーナー部から対応する外枠とは反対側に延ばして２つの暗示線を表示してもよい。
【００１６】
上記切出し画像のコーナー部は、切出し画像の対角線上に位置する一対のコーナー部でもよい。
【００１７】
上記表示部は、複数の元画像について、元画像に対応する切出し画像および暗示線を並べて表示してもよい。
【００１８】
また、本発明の別の観点によれば、元画像の画像データと、元画像から切出される切出し画像の範囲を指定する切出し枠情報を取得するステップと、切出し枠情報に基づき、切出し画像のコーナー部から、元画像の外枠のうち切出し画像のコーナー部に面した基準となる外枠に下ろした垂線の長さを算出するステップと、垂線の長さに相当する暗示線を画像データとして作成するステップと、切出し画像とともに、切出し画像のコーナー部から元画像の基準となる外枠とは反対側に延ばして暗示線を表示するステップとを含む画像表示方法が提供される。
【００１９】
上記暗示線を作成するステップは、切出し画像のコーナー部から元画像の基準となる外枠に下ろした垂線に沿う領域の画像情報を暗示画像として含む暗示線を作成してもよい。
【００２０】
また、本発明の別の観点によれば、画像表示方法をコンピュータに実行させるためのプログラムが提供される。なお、プログラムは、コンピュータ読取り可能な記録媒体を用いて提供されてもよく、通信手段等を介して提供されてもよい。
【発明の効果】
【００２１】
以上説明したように本発明によれば、切出し画像の視認性を低下させずに、切出し画像の外側に存在する枠外領域の情報を表示可能な、画像表示装置、画像表示方法およびプログラムを提供することができる。
【図面の簡単な説明】
【００２２】
【図１】本発明の実施形態に係る画像表示方法の概要を示す図である。
【図２】本発明の実施形態に係る画像表示装置の機能構成を示すブロック図である。
【図３】枠外領域の範囲を暗示する表示方法を示す図である。
【図４】図３に示す表示方法の変形例を示す図である。
【図５】図３に示す表示方法の変形例を示す図である。
【図６】枠外領域の画像の内容を暗示する表示方法を示す図である。
【図７】図６に示す表示方法の変形例を示す図である。
【図８】図６に示す表示方法の変形例を示す図である。
【図９】図６に示す表示方法の変形例を示す図である。
【図１０】画像選択操作への適用例を示す図である。
【図１１】選択された画像の表示例を示す図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
［１．画像表示方法の概要］
まず、図１を参照して、本発明の実施形態に係る画像表示方法の概要について説明する。
【００２５】
本発明の実施形態に係る画像表示方法は、切出し画像Ｉｔを表示する場合に、切出し画像Ｉｔの視認性を低下させずに、切出し画像Ｉｔの外側に存在する枠外領域の情報を暗示して表示することを目的としている。
【００２６】
図１に示すように、画像表示方法では、元画像Ｉｏの画像データおよび切出し枠情報Ｉｆが取得される。ここで、切出し枠情報Ｉｆとは、元画像Ｉｏから切出される切出し画像Ｉｔの範囲を指定する情報である。
【００２７】
次に、切出し枠情報Ｉｆに基づき、切出し画像Ｉｔのコーナー部ｃから、元画像Ｉｏの外枠のうち切出し画像Ｉｔのコーナー部ｃに面した基準となる外枠に下ろした垂線ｐｌの長さが算出され、垂線ｐｌの長さに相当する暗示線ｓｌが作成される。この場合、暗示線ｓｌは、切出し画像Ｉｔのコーナー部ｃから元画像Ｉｏの基準となる外枠までの距離を示すことで、切出し画像Ｉｔの外側に存在する枠外領域の範囲を暗示することになる。なお、元画像Ｉｏの外枠とは、元画像Ｉｏの外縁に相当し、元画像が方形である場合、元画像Ｉｏの上側、下側、左側、右側の外縁に相当する上枠、下枠、左枠、右枠からなる。また、基準となる外枠は、例えば、切出し画像Ｉｔの右上のコーナー部ｃに対して、元画像Ｉｏの上側または右側の外縁に相当する上枠または右枠に相当する。
【００２８】
そして、切出し画像Ｉｔとともに、切出し画像Ｉｔのコーナー部ｃから元画像Ｉｏの基準となる外枠とは反対側に延ばして暗示線ｓｌが表示される。なお、図１に示す例では、切出し画像Ｉｔの右側に存在する枠外領域の範囲が暗示して表示されている。
【００２９】
これにより、切出し画像Ｉｔのコーナー部ｃから暗示線ｓｌが表示されるので、切出し画像Ｉｔの視認性を低下させずに、枠外領域の範囲を表示することができる。また、元画像Ｉｏの基準となる外枠とは反対側に延ばして暗示線ｓｌが表示されるので、限られた表示領域を用いて、切出し画像Ｉｔの元画像Ｉｏへのアクセス性を向上させることができる。
【００３０】
また、画像表示方法では、切出し画像Ｉｔのコーナー部ｃから元画像Ｉｏの基準となる外枠に下ろした垂線ｐｌに沿う領域ｐａの画像情報を暗示画像ｓｉとして含む暗示線ｓｌが作成されてもよい。この場合、暗示線ｓｌは、切出し画像Ｉｔのコーナー部ｃから元画像Ｉｏの基準となる外枠に至る領域ｐａの画像情報を示すことで、切出し画像Ｉｔの外側に存在する枠外領域の画像の内容を暗示することになる。なお、図１に示す例では、切出し画像Ｉｔの右側に存在する枠外領域の画像の内容が暗示して表示されている。
【００３１】
そして、切出し画像Ｉｔのコーナー部ｃから暗示画像ｓｉを含む暗示線ｓｌが表示されるので、切出し画像Ｉｔの視認性を低下させずに、枠外領域の画像の内容を表示することができる。また、元画像Ｉｏの基準となる外枠とは反対側に延ばして暗示画像ｓｉを含む暗示線ｓｌが表示されるので、限られた表示領域を用いて、切出し画像Ｉｔの元画像Ｉｏへのアクセス性をさらに向上させることができる。
【００３２】
［２．画像表示装置の機能構成］
つぎに、図２を参照して、本発明の実施形態に係る画像表示装置１０の機能構成について説明する。
【００３３】
図２に示すように、画像表示装置１０は、データ記憶部１１、データ取得部１３、垂線長算出部１５、暗示線作成部１７およびデータ表示部１９を含んで構成される。画像表示装置１０は、例えば、スチルカメラ、ビデオカメラ等の撮像装置の一部、パーソナルコンピュータ、画像ビューワ等の情報処理装置の一部として構成される。
【００３４】
データ記憶部１１は、元画像Ｉｏの画像データと、元画像Ｉｏから切出される切出し画像Ｉｔの範囲を指定する切出し枠情報Ｉｆを互いに関連付けて記憶している。なお、データ記憶部１１は、元画像Ｉｏの画像データと、切出し枠情報Ｉｆを別々に記憶する複数の記憶装置により構成されてもよい。
【００３５】
切出し枠情報Ｉｆは、元画像Ｉｏに含まれる切出し画像Ｉｔの範囲を指定可能な情報であれば、いかなる形式の情報でもよい。切出し画像Ｉｔの範囲は、例えば、元画像Ｉｏの横・縦画素数、切出し画像Ｉｔの横・縦画素数および元画像Ｉｏ上における切出し画像Ｉｔの１つのコーナー部ｃの座標により指定することができる。また、切出し画像Ｉｔの範囲は、元画像Ｉｏの横・縦画素数および切出し画像Ｉｔの対角線上に位置する一対のコーナー部ｃの座標により指定されてもよい。
【００３６】
元画像Ｉｏの画像データおよび切出し枠情報Ｉｆは、例えば撮像装置、情報処理装置等の外部装置（不図示）または画像表示装置１０自体により作成され、データ記憶部１１に予め格納されている。切出し枠情報Ｉｆは、元画像Ｉｏの撮影時または編集時に、ユーザ操作、または外部装置上もしくは画像表示装置１０上での自動処理により作成される。
【００３７】
データ取得部１３は、元画像Ｉｏの画像データおよび切出し枠情報Ｉｆを取得する。なお、図２に示す例では画像データおよび切出し枠情報Ｉｆがデータ記憶部１１から取得されるが、元画像Ｉｏの画像データおよび切出し枠情報Ｉｆは、外部装置から伝送手段を通じて取得されてもよい。
【００３８】
垂線長算出部１５は、切出し枠情報Ｉｆに基づき、切出し画像Ｉｔのコーナー部ｃから、元画像Ｉｏの外枠のうち切出し画像Ｉｔのコーナー部ｃに面した基準となる外枠に下ろした垂線ｐｌの長さを算出する。垂線ｐｌの長さは、切出し画像Ｉｔのコーナー部ｃの座標と元画像Ｉｏの基準となる外枠の座標の差分として算出される。例えば、切出し画像Ｉｔの右上のコーナー部ｃから元画像Ｉｏの右枠に下ろした垂線ｐｌの長さは、コーナー部ｃの横座標と右枠の横座標の差分として算出される。
【００３９】
暗示線作成部１７は、切出し画像Ｉｔのコーナー部ｃから元画像Ｉｏの基準となる外枠に下ろした垂線ｐｌの長さに相当する暗示線ｓｌを作成する。暗示線ｓｌは、算出された垂線ｐｌの長さに基づき表示データとして作成される。また、暗示線作成部１７は、切出し画像Ｉｔのコーナー部ｃから元画像Ｉｏの基準となる外枠に下ろした垂線ｐｌに沿う領域ｐａの画像情報を暗示画像ｓｉとして含む暗示線ｓｌを作成してもよい。この場合、暗示線ｓｌは、切出し画像Ｉｔのコーナー部ｃの座標と元画像Ｉｏの基準となる外枠の座標に基づき、元画像Ｉｏの画像データから垂線ｐｌに沿う１〜数画素行・列の領域ｐａの画像データを暗示画像ｓｉとして抽出して作成される。
【００４０】
データ表示部１９は、切出し画像Ｉｔとともに、切出し画像Ｉｔのコーナー部ｃから元画像Ｉｏの基準となる外枠とは反対側に延ばして暗示線ｓｌを表示する。暗示線ｓｌは、詳細は後述するが、基本的に切出し画像Ｉｔのコーナー部ｃの座標に基づき、切出し画像Ｉｔとともに表示される。
【００４１】
ここで、上記機能構成において、データ記憶部１１はフラッシュメモリ等の不揮発性メモリ、ＨＤＤ、ＢＤ等の外部記憶装置等により構成され、データ取得部１３、垂線長算出部１５および暗示線作成部１７はＣＰＵ等の演算処理装置により構成され、データ表示部１９は液晶ディスプレイ等の表示装置により構成される。そして、ＣＰＵは、ＲＯＭ等から読み出されたプログラムをＲＡＭ上に展開して実行することで、画像処理方法を実現する。なお、上記機能構成は、少なくとも一部が専用ロジック等のハードウェアとして構成されてもよい。
【００４２】
［３．枠外領域の範囲を暗示する表示方法］
つぎに、図３および図４を参照して、切出し画像Ｉｔの外側に存在する枠外領域の範囲を暗示する表示方法について説明する。
【００４３】
図３に示すように、切出し画像Ｉｔは、元画像Ｉｏのうち切出し枠情報Ｉｆにより指定される範囲の画像として構成される。なお、元画像Ｉｏとともに切出し画像Ｉｔを示す、図３を含む図では、枠外領域の画像情報が破線で示されているが、切出し画像Ｉｔの実際の表示に際しては、枠外領域の画像情報を省略して切出し画像Ｉｔのみが表示される。
【００４４】
図３に示す例では、元画像Ｉｏは、横・縦画素数がＷｏ、Ｈｏであり、左上コーナー部ｃの座標が（０、０）、右下コーナー部ｃの座標が（Ｗｏ、Ｈｏ）である。切出し画像Ｉｔは、横・縦画素数がＷｔ、Ｈｔであり、左上コーナー部ｃ１の座標が（ｘｔ１、ｙｔ１）、右上コーナー部ｃ２の座標が（ｘｔ１＋Ｗｔ、ｙｔ１）、右下コーナー部ｃ３の座標が（ｘｔ１＋Ｗｔ、ｙｔ１＋Ｈｔ）、左下コーナー部ｃ４の座標が（ｘｔ１、ｙｔ１＋Ｈｔ）である。
【００４５】
よって、切出し画像Ｉｔの範囲は、元画像Ｉｏの横・縦画素数Ｗｏ、Ｈｏ、切出し画像Ｉｔの横・縦画素数Ｗｔ、Ｈｔおよび左上コーナー部ｃ１の座標（ｘｔ１、ｙｔ１）からなる切出し枠情報Ｉｆにより指定することができる。ここで、切出し画像Ｉｔの上側に高さｙｔ１の枠外領域が存在し、下側に高さ（Ｈｏ−Ｈｔ−ｙｔ１）の枠外領域が存在し、左側に幅ｘｔ１の枠外領域が存在し、右側に幅（Ｗｏ−Ｗｔ−ｘｔ１）の枠外領域が存在する。
【００４６】
以下では、切出し画像Ｉｔの上下左右側に存在する枠外領域を、切出し画像Ｉｔの右上コーナー部ｃ２および左下コーナー部ｃ４を基準として表示する場合について説明する。
【００４７】
この場合、コーナー部ｃ２についてみれば、元画像Ｉｏの上枠および右枠は、コーナー部ｃ２に面している（臨んでいる）ので、基準となる外枠になりうるが、下枠および左枠は、コーナー部ｃ２に面していない（臨んでいない）ので、基準となる外枠になりえない。同様に、コーナー部ｃ４についてみれば、元画像Ｉｏの下枠および左枠は、コーナー部ｃ４に面している（臨んでいる）ので、基準となる外枠となりうるが、上枠および右枠は、コーナー部ｃ４に面していない（臨んでいない）ので、基準となる外枠になりえない。
【００４８】
そして、コーナー部ｃ２から元画像Ｉｏの基準となる外枠をなす上枠および右枠に下ろした垂線ｐｌ１、ｐｌ２の長さは、ｐｌ１＝ｙｔ１およびｐｌ２＝Ｗｏ−Ｗｔ−ｘｔ１と各々に算出される。また、コーナー部ｃ４から元画像Ｉｏの基準となる外枠をなす下枠および左枠に下ろした垂線ｐｌ３、ｐｌ４の長さは、ｐｌ３＝Ｈｏ−Ｈｔ−ｙｔ１およびｐｌ４＝ｘｔ１と各々に算出される。
【００４９】
よって、図３に示すように、切出し画像Ｉｔとともに、コーナー部ｃ２から元画像Ｉｏの上枠とは反対側の下側に長さｐｌ１＝ｙｔ１で延びる暗示線ｓｌ１が表示され、コーナー部ｃ２から元画像Ｉｏの右枠とは反対側の左側に長さｐｌ２＝Ｗｏ−Ｗｔ−ｘｔ１で延びる暗示線ｓｌ２が表示される。同様に、コーナー部ｃ４から元画像Ｉｏの下枠とは反対側の上側に長さｐｌ３＝Ｈｏ−Ｈｔ−ｙｔ１で延びる暗示線ｓｌ３が表示され、コーナー部ｃ４から元画像Ｉｏの左枠とは反対側の右側に長さｐｌ４＝ｘｔ１の暗示線ｓｌ４が表示される。
【００５０】
図４には、図３に示す表示方法の変形例が示されている。図３に示す例では、切出し画像Ｉｔに重ねずに切出し画像Ｉｔの外縁側に暗示線ｓｌ１〜ｓｌ４が表示されている。しかし、切出し画像Ｉｔの外縁側で表示領域が制限されている場合、図４に示すように、切出し画像Ｉｔに重ねて切出し画像Ｉｔの内縁側に暗示線ｓｌ１〜ｓｌ４が表示されてもよい。
【００５１】
図５には、図３に示す表示方法の他の変形例が示されている。図５に示す例では、切出し画像Ｉｔが元画像Ｉｏに比べて非常に小さく、切出し画像Ｉｔの横画素数Ｗｔに比べて、コーナー部ｃ２から元画像Ｉｏの右枠に下ろした垂線ｐｌ２の長さｐｌ２＝Ｗｏ−Ｗｔ−ｘｔ１が非常に大きくなる（Ｗｔ＜＜ｐｌ２）。なお、図５に示す場合、コーナー部ｃ２に面する外枠は、上枠および右枠となる（下枠および左枠は、コーナー部ｃ２に面していない（臨んでいない）。）。よって、図３に示したように、コーナー部ｃ２から元画像Ｉｏの右枠とは反対側の左側に長さｐｌ２で延びる暗示線ｓｌ２を表示した場合、切出し画像Ｉｔの横画素数Ｗｔを超えてしまう。このため、図５に示す例では、暗示線ｓｌ２をジグザグ状に折り返して表示している。
【００５２】
ここで、図５に示す例では、暗示線ｓｌがジグザグ状に折り返して表示されているが、暗示線ｓｌは、折り返し部分を上下に重ね合わせて表示し、または異なる色、異なる濃淡、異なる線種等を用いて表示してもよい。
【００５３】
なお、上記説明では、切出し画像Ｉｔの上下左右側に存在する枠外領域を、切出し画像Ｉｔの対角線上に位置する一対のコーナー（右上コーナー部ｃ２および左下コーナー部ｃ４）を基準とする暗示線ｓｌ１〜ｓｌ４を用いて表示する場合について説明した。しかし、切出し画像Ｉｔの左上コーナー部ｃ１、右上コーナー部ｃ２、右下コーナー部ｃ３、左下コーナー部ｃ４を基準とする暗示線ｓｌ１〜ｓｌ４により表示してもよい。
【００５４】
この場合、例えば、切出し画像Ｉｔの左側に存在する枠外領域がコーナー部ｃ１を基準とする暗示線ｓｌ４により表示され、上側に存在する枠外領域がコーナー部ｃ２を基準とする暗示線ｓｌ１により表示され、右側に存在する枠外領域がコーナー部ｃ３を基準とする暗示線ｓｌ４により表示され、下側に存在する枠外領域がコーナー部ｃ４を基準とする暗示線ｓｌ３により表示されてもよい。
【００５５】
また、例えば、切出し画像Ｉｔの上下側にのみ枠外領域が存在する場合、切出し画像Ｉｔの上側に存在する枠外領域がコーナー部ｃ１またはコーナー部ｃ２を基準とする暗示線ｓｌ１により表示され、下側に存在する枠外領域がコーナー部ｃ３またはｃ４を基準とする暗示線ｓｌ３により表示される。同様に、切出し画像Ｉｔの左右側にのみ枠外領域が存在する場合、切出し画像Ｉｔの左側に存在する枠外領域がコーナー部ｃ１またはコーナー部ｃ４を基準とする暗示線ｓｌ４により表示され、右側に存在する枠外領域がコーナー部ｃ２またはｃ３を基準とする暗示線ｓｌ２により表示される。
【００５６】
これにより、切出し画像Ｉｔの視認性を低下させずに、枠外領域の範囲、つまり元画像Ｉｏの存在および元画像Ｉｏの大きさを暗示して表示することができる。また、限られた表示領域を用いて、切出し画像Ｉｔの元画像Ｉｏへのアクセス性を向上させることができる。
【００５７】
［４．枠外領域の画像の内容を暗示する表示方法］
つぎに、図６および図７を参照して、切出し画像Ｉｔの外側に存在する枠外領域の画像の内容を暗示する表示方法について説明する。
【００５８】
図６に示すように、暗示線ｓｌは、切出し画像Ｉｔのコーナー部ｃから元画像Ｉｏの基準となる外枠に下ろした垂線ｐｌに沿う領域ｐａの画像情報を暗示画像ｓｉとして含むように作成される。
【００５９】
図６に示す例でも、切出し画像Ｉｔの範囲は、元画像Ｉｏの横・縦画素数Ｗｏ、Ｈｏ、切出し画像Ｉｔの横・縦画素数Ｗｔ、Ｈｔおよび左上コーナー部ｃ１の座標（ｘｔ１、ｙｔ１）からなる切出し枠情報Ｉｆにより指定される場合を想定する。
【００６０】
よって、切出し画像Ｉｔとともに、コーナー部ｃ２から下側に長さｐｌ１＝ｙｔ１で延びる暗示線ｓｌ１が表示され、コーナー部ｃ２から左側に長さｐｌ２＝Ｗｏ−Ｗｔ−ｘｔ１で延びる暗示線ｓｌ２が表示される。同様に、コーナー部ｃ４から上側に長さｐｌ３＝Ｈｏ−Ｈｔ−ｙｔ１で延びる暗示線ｓｌ３が表示され、コーナー部ｃ４から左側に長さｐｌ４＝ｘｔ１の暗示線ｓｌ４が表示される。
【００６１】
暗示線ｓｌ１、ｓｌ２は、コーナー部ｃ２から元画像Ｉｏの上枠および右枠に下ろした垂線ｐｌ１、ｐｌ２に沿う領域ｐａ1、ｐａ２の画像データを暗示画像ｓｉ１、ｓｉ２として含むように各々に作成される。また、暗示線ｓｌ３、ｓｌ４は、コーナー部ｃ４から元画像Ｉｏの下枠および左枠に下ろした垂線ｐｌ３、ｐｌ４に沿う領域ｐａ３、ｐａ４の画像データを暗示画像ｓｉ３、ｓｉ４として含むように各々に作成される。
【００６２】
暗示画像ｓｉは、例えば暗示画像ｓｉ１またはｓｉ２であれば、コーナー部ｃ２から元画像Ｉｏの上枠または右枠に下ろした垂線ｐｌ１またはｐｌ２に沿う１−数列分または数行分の画素領域ｐａ１、ｐａ２に相当する画像データとして、元画像Ｉｏの画像データから抽出される。そして、暗示線ｓｌは、暗示画像ｓｉとしての画像データにより塗りつぶされた所定の幅を有する線分として表示される。
【００６３】
ここで、図６に示す例では、切出し画像Ｉｔに重ねずに切出し画像Ｉｔの外縁側に暗示画像ｓｉ１〜ｓｉ４を含む暗示線ｓｌ１〜ｓｌ４が表示されている。しかし、図４に示す場合と同様に、切出し画像Ｉｔの外縁側で表示領域が制限されている場合、切出し画像Ｉｔに重ねて切出し画像Ｉｔの内縁側に暗示画像ｓｉ１〜ｓｉ４を含む暗示線ｓｌ１〜ｓｌ４が表示されてもよい。
【００６４】
また、図６に示す例では、暗示画像ｓｉは、元画像Ｉｏの画像データ自体として、切出し画像Ｉｔ側に平行移動して表示されている。しかし、暗示画像ｓｉは、元画像Ｉｏの画像データを上下または左右に反転した画像データとして、切出し画像Ｉｔ側に折り返して表示されてもよい。
【００６５】
また、暗示画像ｓｉは、切出し画像Ｉｔと区別して表示される。例えば、暗示画像ｓｉは、所定の色で縁取りされて表示されてもよく、輝度を低下させて表示されたり、低い濃淡で表示されたりしてもよい。
【００６６】
また、暗示線ｓｌは、図７に示すように、垂線ｐｌに沿う領域ｐａの画像データに代えて、垂線ｐｌに沿う領域ｐａの画像データの代表値を暗示画像ｓｉとして含むように作成されてもよい。画像データの代表値は、例えば、垂線ｐｌに沿う領域ｐａに最も高い頻度で含まれる画素の色、パターン等である。なお、図７および後述する図８から図１１では、表示の便宜上、画像データの代表値が各種のドットハッチングを用いて示されている。
【００６７】
暗示画像ｓｉは、例えば暗示画像ｓｉ１またはｓｉ２であれば、コーナー部ｃ２から元画像Ｉｏの上枠または右枠に下ろした垂線ｐｌ１またはｐｌ２に沿う１−数列分または数行分の画素領域ｐａ１、ｐａ２に相当する画像データの代表値として、元画像Ｉｏの画像データから抽出される。そして、暗示線ｓｌは、暗示画像ｓｉとしての画像データの代表値により塗りつぶされた所定の幅を有する線分として表示される。
【００６８】
また、暗示線ｓｌは、垂線ｐｌに沿う領域の画像データの代表値に代えて、垂線ｐｌの周辺に位置する所定の領域ｐａの画像データの代表値を暗示画像ｓｉとして含むように作成されてもよい。以下では、切出し画像Ｉｔの下側に存在する枠外領域について説明するが、切出し画像Ｉｔの上側、右側、左側に存在する枠外領域についても同様に説明することができる。
【００６９】
例えば、図８に示すように、コーナー部ｃ４から上側に延びる暗示線ｓｌ４は、切出し画像Ｉｔの下側に存在する枠外領域に位置する所定の領域を対象として、画像データの代表値を暗示画像ｓｉ４として表している。ここで、暗示線ｓｌ４は、例えば枠外領域ＡからＤのいずれかの領域を対象として、画像データの代表値を暗示画像ｓｉ４として表すことができる。
【００７０】
枠外領域Ａは、切出し画像Ｉｔのコーナー部ｃ４の下側に存在する、横画素数Ｗｏおよび縦画素数Ｈｏ−Ｈｔ−ｙｔ１（＝ｐｌ３）の領域である。枠外領域Ｂは、切出し画像Ｉｔのコーナー部ｃ４の下側に存在する、横画素数任意および縦画素数Ｈｏ−Ｈｔ−ｙｔ１（＝ｐｌ３）の領域である。また、枠外領域Ｃは、切出し画像Ｉｔのコーナー部ｃ３、ｃ４により規定される、横画素数Ｗｔおよび縦画素数Ｈｏ−Ｈｔ−ｙｔ１（＝ｐｌ３）の領域である。枠外領域Ｄは、切出し画像Ｉｔのコーナー部ｃ４の左下側に存在する、横画素数ｘｔ１（＝ｐｌ４）および縦画素数Ｈｏ−Ｈｔ−ｙｔ１（＝ｐｌ３）の領域である。
【００７１】
暗示画像ｓｉは、例えば暗示画像ｓｉ４であれば、枠外領域ＡからＤのいずれかに含まれる画像データの代表値として、元画像Ｉｏの画像データから抽出される。そして、暗示線ｓｌは、暗示画像ｓｉとしての画像データの代表値により塗りつぶされた所定の幅を有する線分として表示される。
【００７２】
また、暗示線ｓｌは、垂線ｐｌに沿う領域ｐａの画像データの代表値に代えて、垂線ｐｌに直交する直線に沿う領域ｐａの画像データの代表値を暗示画像ｓｉとして含むように作成されてもよい。例えば、図８に示すように、コーナー部ｃ４から上側に延びる暗示線ｓｌ４は、コーナー部ｃ４から元画像Ｉｏの下枠に下ろした垂線ｐｌに直交する直線に沿う領域ｐａの画像データの代表値を暗示画像ｓｉとして表している。
【００７３】
ここで、暗示線ｓｌは、例えば、前述した枠外領域ＡからＤのいずれかの領域を対象として、画像データの代表値を暗示画像ｓｉとして表すことができる。
【００７４】
例えば枠外領域Ａを対象とする場合、暗示線ｓｌは、垂線ｐｌに直交する直線に沿う領域ｐａ、つまり、元画像Ｉｏの縦座標Ｈｏ−Ｈｔ−ｙｔ１＋１〜Ｈｏの範囲で、各画素行における横座標０〜Ｗｏの画像データの代表値を暗示画像ｓｉとして含むように作成される。
【００７５】
この場合、暗示画像ｓｉは、枠外領域Ａを縦座標Ｈｏ−Ｈｔ−ｙｔ１＋１〜Ｈｏの範囲で、所定数の画素行からなる複数のブロックに区分し、各ブロックに含まれる画像データの代表値として抽出される。そして、暗示線ｓｌは、暗示画像ｓｉとしてのブロック毎の画像データの代表値により横縞状に塗りつぶされた所定の幅を有する線分として表示される。
【００７６】
なお、上記説明では、切出し画像Ｉｔの上下左右側に存在する枠外領域の画像の内容を、切出し画像Ｉｔの右上コーナー部ｃ２および左下コーナー部ｃ４を基準として表示する場合について説明した。しかし、前述したように、切出し画像Ｉｔの上下左右側に存在する枠外領域の画像の内容は、コーナー部ｃ１〜ｃ４を基準として表示してもよい。
【００７７】
これにより、切出し画像Ｉｔの視認性を低下させずに、枠外領域の画像の内容、つまり枠外領域にどのような画像が含まれているか（切出し画像Ｉｔと同質の画像が含まれているか等）を暗示して表示することができる。また、限られた表示領域を用いて、切出し画像Ｉｔの元画像Ｉｏへのアクセス性をさらに向上させることができる。
【００７８】
［５．枠外領域の画像の内容を暗示する表示方法］
本発明の実施形態に係る画像処理方法によれば、画像選択時の操作性を向上させることができる。図１０には、画像の選択画面Ｓが表示されている。図１０に示すように、選択画面Ｓには、切出し画像Ｉｔ１〜Ｉｔ９を含む多数の切出し画像Ｉｔが表示されており、各切出し画像Ｉｔとともに暗示画像ｓｉを含む暗示線ｓｌが表示されている。なお、図１０では、暗示線ｓｌは、折り返し部分を上下に重ね合わせて表示されている。
【００７９】
選択画面Ｓにおいて、ユーザは、切出し画像Ｉｔまたは元画像Ｉｏを選択することができる。切出し画像Ｉｔを選択する場合、ユーザは、選択画面Ｓ上に明示されている切出し画像Ｉｔの情報に基づき、カーソル操作やタッチ操作により所望の切出し画像Ｉｔを選択し、切出し画像選択ボタン（不図示）を操作する。例えば、図９では、切出し画像Ｉｔ３が選択されている。すると、選択された切出し画像Ｉｔの元画像Ｉｏの画像データとともに切出し枠情報Ｉｆが所定の処理に供され、例えば図１０の状態１０Ａに示すように、切出し画像Ｉｔ３が表示される。
【００８０】
一方、元画像Ｉｏを選択する場合、ユーザは、選択画面上に明示されている切出し画像Ｉｔの情報、および暗示線ｓｌにより暗示されている切出し画像Ｉｔの外側に存在する枠外領域の情報に基づき、所望の元画像Ｉｏを選択する。
【００８１】
ここで、切出し画像Ｉｔのコーナー部ｃから暗示画像ｓｉを含む暗示線ｓｌが表示されているので、ユーザは、切出し画像Ｉｔの情報とともに枠外領域の情報を確実に確認することができる。また、ユーザは、暗示画像ｓｉを含む暗示線ｓｌを参照することで、枠外領域の範囲、つまり元画像Ｉｏの存在および元画像Ｉｏの大きさとともに、枠外領域の画像の内容、つまり枠外領域にどのような画像が含まれているか（切出し画像Ｉｔと同質の画像がふくまれているか等）を確認することができる。
【００８２】
これにより、選択画面Ｓに多数の切出し画像Ｉｔが表示される場合でも、ユーザは、限られた表示領域を用いて表示された多数の切出し画像Ｉｔから、所望の元画像Ｉｏを容易に選択することができる。
【００８３】
そして、ユーザは、カーソル操作やタッチ操作により所望の元画像Ｉｏに対応する切出し画像Ｉｔを選択し、元画像選択ボタン（不図示）を操作する。例えば、図９では、切出し画像Ｉｔ３が選択されている。すると、選択された切出し画像Ｉｔ３に対応する元画像Ｉｏの画像データが所定の処理に供され、例えば図１０の状態１０Ｂに示すように、切出し画像Ｉｔ３に対応する元画像Ｉｏ３が表示される。
【００８４】
［６．まとめ］
以上説明したように、本発明の実施形態に係る画像表示装置１０および画像表示方法によれば、切出し画像Ｉｔのコーナー部ｃから暗示線ｓｌが表示されるので、切出し画像Ｉｔの視認性を低下させずに、切出し画像Ｉｔの外側に存在する枠外領域の情報として、枠外領域の範囲を表示することができる。また、元画像Ｉｏの基準となる外枠とは反対側に延ばして暗示線ｓｌが表示されるので、限られた表示領域を用いて、切出し画像Ｉｔの元画像Ｉｏへのアクセス性を向上させることができる。
【００８５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８６】
例えば、上記実施形態の説明では、切出し画像Ｉｔの形状が方形である場合について説明した。しかし、切出し画像Ｉｔの形状が台形や平行四辺形の場合についても同様に説明することができる。この場合、例えば切出し画像Ｉｔの上側に存在する枠外領域の高さが一定とならない場合がある。このような場合、左上コーナー部ｃ１および右上コーナー部ｃ２から元画像Ｉｏの上枠に下ろした垂線ｐｌ１、ｐｌ１´の長さに相当する２つの暗示線ｓｌ１、ｓｌ１´（暗示画像ｓｉ１、ｓｉ１´を含んでもよい。）をコーナー部ｃ１、ｃ２から下側に表示することで、枠外領域の情報を暗示して表示することができる。
【符号の説明】
【００８７】
１０    画像表示装置
１１    データ記憶部
１３    データ取得部
１５    垂線長算出部
１７    暗示線作成部
１９    データ表示部
Ｉｏ    元画像
Ｉｓ    切出し画像
Ｉｆ    切出し枠情報
ｃ、ｃ１〜ｃ４    コーナー部
ｐｌ、ｐｌ１〜ｐｌ４    垂線
ｓｌ、ｓｌ１〜ｓｌ４    暗示線
ｓｉ、ｓｉ１〜ｓｉ４    暗示画像
ｐａ、ｐａ１〜ｐａ４    垂線に沿う領域
【図１】
2012003189.tif 000003
【図２】
2012003189.tif 000004
【図３】
2012003189.tif 000005
【図４】
2012003189.tif 000006
【図５】
2012003189.tif 000007
【図６】
2012003189.tif 000008
【図７】
2012003189.tif 000009
【図８】
2012003189.tif 000010
【図９】
2012003189.tif 000011
【図１０】
2012003189.tif 000012
【図１１】
2012003189.tif 000013